【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】  （ａ）配列番号：３または４のアミノ酸配列を有するポリペプチドをコードする核酸分子を含有してなる核酸分子；
（ｂ）配列番号：１３または１４のＤＮＡ配列を有する核酸分子を含有してなる核酸分子；
（ｃ）（ａ）または（ｂ）の核酸分子の相補的な鎖にハイブリダイズする核酸分子；または
（ｄ）（ｃ）の核酸分子の配列に縮重した核酸分子、
である、ヒトＫ+ イオンｅａｇチャンネルの機能を有する（ポリ）ペプチドをコードする核酸分子を含有してなる核酸分子。
【請求項２】  配列５’−ＧＧＧＡＧＧＡＴＧＡＣＣＡＴＧＧＣＴを含有してなる請求項１記載の核酸分子に特異的にハイブリダイズする核酸分子。
【請求項３】  ＤＮＡである請求項１または２記載の核酸分子。
【請求項４】  ＲＮＡである請求項１または２記載の核酸分子。
【請求項５】  融合タンパク質をコードする請求項１〜４いずれか１つに記載の核酸分子。
【請求項６】  請求項１〜５いずれか１つに記載の核酸分子を含有してなるベクター。
【請求項７】  発現ベクターおよび／または遺伝子ターゲッティングまたは遺伝子導入ベクターである請求項６記載のベクター。
【請求項８】  請求項６または７記載のベクターで形質転換された宿主。
【請求項９】  哺乳類細胞、真菌細胞、植物細胞、昆虫細胞または細菌細胞である請求項８記載の宿主。
【請求項１０】  請求項８または９記載の宿主を培養する工程、および産生された（ポリ）ペプチドを単離する工程を含む、請求項１または３〜５いずれか１つに記載の核酸分子によってコードされた（ポリ）ペプチドの生産方法。
【請求項１１】  請求項１または３〜５いずれか１つに記載の核酸分子によってコードされた、または請求項１０記載の方法によって生産された（ポリ）ペプチド。
【請求項１２】  請求項１１記載の（ポリ）ペプチドに対し特異的な抗体。
【請求項１３】  モノクローナル抗体である請求項１２記載の抗体。
【請求項１４】  請求項２記載の核酸分子、請求項６記載のベクター、請求項１１記載のポリペプチドおよび／または請求項１２または１３記載の抗体および薬学的に許容できる担体および／または希釈剤および／または賦形剤を含有してなる医薬組成物。
【請求項１５】  請求項１〜５いずれか１つに記載の核酸分子、請求項６記載のベクター、請求項１１記載のポリペプチドおよび／または請求項１２または１３記載の抗体を含有してなる診断用組成物。
【請求項１６】  請求項１または３〜５いずれか１つに記載の核酸分子の望まれていない発現または過剰発現によって引き起こされる疾患を予防または治療するための医薬の製造における、請求項１または３〜５いずれか１つに記載の核酸分子の発現のインヒビター、または請求項１１記載の（ポリ）ペプチドの機能のインヒビターの使用。
【請求項１７】  請求項１１記載の（ポリ）ペプチドの機能不全により引き起こされる疾患を予防または治療するための医薬の製造における、請求項１または３〜５いずれか１つに記載の核酸分子の発現のインヒビター、請求項１１記載の（ポリ）ペプチドの機能不全のインヒビターもしくは改変剤、ｈｅａｇをコードする請求項１または３〜５いずれか１つに記載の核酸分子、またはｈｅａｇ活性を有する請求項１１記載のポリペプチドの使用。
【請求項１８】  前記核酸分子の発現または過剰発現の前記インヒビターが、請求項２記載の核酸分子である、請求項１６記載の使用。
【請求項１９】  ポリペプチド機能の前記インヒビターが、請求項１２または１３記載の抗体、または薬物、好ましくはアステミゾールまたはテルフェナジンである、請求項１６記載の使用。
【請求項２０】  医薬の導入工程の前に、
（ａ）前記疾患により冒された哺乳動物から細胞を得る工程ならびに前記導入工程の後に前記疾患により冒された哺乳動物から細胞を得る工程、ここで、前記導入は前記細胞に行われる、
（ｂ）前記細胞を前記哺乳動物または同種の哺乳動物に再導入する工程、
をさらに含む方法で使用される、請求項１６〜１９いずれか１つに記載の使用。
【請求項２１】  前記細胞が、生殖細胞、胚性細胞もしくは卵細胞またはそれらに由来する細胞である、請求項１６〜２０いずれか１つに記載の使用。
【請求項２２】  請求項１および３〜５いずれか１つに記載の核酸分子の望まれていない発現または過剰発現によって引き起こされる疾患の治療用薬物の設計方法であって、
（ａ）特異的かつ効力の高い薬物を同定する工程；
（ｂ）部位特異的突然変異誘発およびキメラタンパク質研究による、前記薬物の結合部位を同定する工程；
（ｃ）（ポリ）ペプチドの結合部位および前記薬物の構造の両方を分子モデリングする工程；ならびに
（ｄ）（ポリ）ペプチドに対するその結合特異性を改良するために薬物を改変する工程、
を含む、治療用薬物の設計方法。
【請求項２３】  （ａ）アンチセンスオリゴヌクレオチドおよび／またはリボザイムから選ばれた化合物を、翻訳の阻害または低減に対して試験する工程；または
（ｂ）請求項１１記載の（ポリ）ペプチドをコードし、かつ好ましくはその転写因子応答エレメントを有する遺伝子のプロモーター領域に結合する化合物を、転写の阻害に対して試験する工程；または
（ｃ）請求項１１記載の（ポリ）ペプチドの増殖活性をブロックすると推測されるペプチドまたは抗体を、前記ブロック活性に対して試験する工程、
を含む、請求項１または３〜５いずれか１つに記載の核酸分子の発現のインヒビターまたは請求項１１記載の（ポリ）ペプチドの機能のインヒビターの同定方法。
【請求項２４】  前記薬物またはインヒビターが、ペプチド疑似体またはファージディスプレイもしくはコンビナトリアルライブラリー技術を適用することによってさらに改良された、請求項２２または２３記載の方法。
【請求項２５】  細胞増殖を阻害するための医薬の製造における、請求項１または３〜５いずれか１つに記載の核酸分子または請求項１１記載の（ポリ）ペプチドの発現に対する、インヒビターの使用。
【請求項２６】  インビトロにて、請求項１および３〜５いずれか１つに記載の核酸分子の発現を評価する工程、または哺乳動物の細胞において請求項１１記載のポリペプチドの定量的な存在を評価する工程を含む、癌および／または神経変性疾患（ｎｅｕｒｏｄｅｇｅｎｅｒａｔｉｖｅ  ｄｉｓｅａｓｅｓ）および／または乾癬の予知方法。
【請求項２７】  前記癌が、乳癌または神経芽腫または子宮頸癌（ｃｅｒｖｉｘ  ｃａｒｃｉｎｏｍａ）である、請求項２６記載の方法。
【請求項２８】  前記乳癌が、胸腺癌（ｂｒｅａｓｔ  ａｄｅｎｏｃａｒｃｉｎｏｍａ）、胸癌管型（ｂｒｅａｓｔ  ｃａｒｃｉｎｏｍａ  ｄｕｃｔａｌ  ｔｙｐｅ）である、請求項２７記載の方法。
【請求項２９】  前記神経変性疾患が、アルツハイマー病、パーキンソン病、筋萎縮性側索硬化症または多発性硬化症である、請求項２６記載の方法。
【請求項３０】  前記哺乳動物が、ヒト、ラットまたはマウスである、請求項２０〜２１および２６〜２９いずれか１つに記載の方法。
【請求項３１】  遺伝子治療のための医薬の製造における、請求項１〜５いずれか１つに記載の核酸分子の使用。
【請求項３２】  請求項２記載の核酸分子、請求項６記載のベクター、請求項１１記載のポリペプチドおよび／または請求項１２または１３記載の抗体を含有してなるキット。